(57)【特許請求の範囲】
【請求項１】
所定の周期毎に得られた測定値を所定の周期毎に表示更新する装置であって、測定値として“０”と“−０”も生成されるが表示値としては“−０”を表示しない場合、表示値が一旦“０”になった後は、表示更新時点での測定値を含め過去複数回分の測定値のすべてが“０”と“−０”以外であり、かつ、それらが正値側または負値側に揃っている場合にのみ、“０”以外の表示値に表示更新するものである測定値の表示装置。
【請求項２】
所定の周期毎に得られた測定値を所定の周期毎に表示更新する装置であって、測定値として“０”は生成されるが“−０”は生成されない場合、表示値が一旦“０”になった後は、表示更新時点での測定値を含め過去複数回分の測定値のすべてが“０”以外であり、かつ、それらが正値側または負値側に揃っている場合にのみ、“０”以外の表示値に表示更新するものである測定値の表示装置。
【発明の詳細な説明】
【０００１】
【発明の属する技術分野】
本発明は、測定値を所定の周期毎に表示更新する装置に関する。
【０００２】
【従来の技術】
従来、圧力検出器の表示装置などにおいて、所定の周期毎に得られた測定値を所定の周期毎に表示更新するような場合は、表示更新時にその時点での測定値を表示値として表示更新する処理を行っている。
【０００３】
【発明が解決しようとする課題】
しかし、例えば、配管にコンプレッサで圧縮空気を送り込み、配管内の空気圧を圧力センサで検出して表示する圧力表示装置において、配管を開放するなどして圧力センサに大気圧のみを印加した状態での圧力値を“０”と表示補正するような場合には、例えば図４に示すように、大気圧の微妙な変化等で“０”以外の値を表示したり、再び“０”に戻ったりと目まぐるしく表示変化してしまうという解決すべき課題があることに着目されるべきである。本発明はこのような解決すべき課題を鑑み、表示値が一旦“０”になった後の表示が目まぐるしく変化してしまう弊害を緩和することを目的とする。
【０００４】
【課題を解決するための手段】
請求項に示した通りである。
【０００５】
【発明の実施の形態】
次に、本発明の実施形態を説明するが、それはあくまで本発明に基づいて採択された例示的な実施形態であり、本発明をその実施形態に特有な事項に基づいて限定解釈してはならず、本発明の技術的範囲は、請求項に示した事項さらにはその事項と実質的に等価である事項に基づいて定めなければならない。
【０００６】
図１は、測定された圧力を表示するための表示器を備えた圧力検出器の回路ブロック図を示し、圧力センサであるセンサ１から出力されるアナログ量はアンプ２で増幅されてから、Ａ／Ｄコンバータ３に入力される。ここに示されるマイコン４は、心臓部であるＣＰＵ５の他に前記Ａ／Ｄコンバータ３とデコーダ６を内蔵している。そして、前記アナログ量は、Ａ／Ｄコンバータ３によりデジタル値に変換されて出力され、この出力値はＣＰＵ５により演算処理される。さらに、ＣＰＵ５による演算処理出力はデコーダ６を介して変換処理され、７セグメントタイプの数値表示器７にて圧力値として数値表示される。なお、ＣＰＵ５の機能としては他に、検出圧力に応じて制御信号を生成出力して図外のアクチュエータなどを制御する機能などを備えている。
【０００７】
この圧力検出器は、図外のコンプレッサにより圧縮空気が送り込まれた配管内の空気圧をセンサ１で検出するものであるが、検出された値を圧力値として表示器７に表示させるに先立って、大気圧補正を行うものである。すなわち、センサ１に大気圧のみが印加された状態での圧力値を“０”と表示補正するために、前記配管の一部を開放するなどしてセンサ１に大気圧のみが印加された状態にしてから、図示されない表示調整ボタンなどを操作して表示値を“０”と補正する。そして、開放された前記配管を再び閉じて、前記コンプレッサにより圧縮空気が送り込まれた配管内の空気圧をセンサ１で検出するものである。
【０００８】
センサ１で検出された値はアンプ２で増幅されてから、Ａ／Ｄコンバータ３でデジタル値に変換され、ＣＰＵ５で演算処理される。この演算処理の結果、センサ１で検出された値は、測定値として所定の周期毎に得られるようになっており、かつ、この測定値に基づいて所定の周期毎にデコーダ６を介して表示器７の表示を更新するようになっている。そして、前記配管が開放されていない通常の使用状態の場合のように、表示値が“０”以外の表示値になった後での表示更新は、表示更新時点での測定値をそのまま表示している。しかし、前記のように大気圧補正するような場合には表示器７の表示値を“０”と表示補正するものであるが、大気圧の微妙な変化等で“０”以外の値を表示したり、再び“０”に戻ったりと目まぐるしく表示変化してしまう弊害を以下に示す手段で緩和している。
【０００９】
すなわち、表示器７の表示値が一旦“０”になった後は、表示更新時点での測定値を含め過去複数回分（例えば２〜５回分）の測定値のすべてが“０”と“−０”以外であり、かつ、それらが正値側または負値側に揃っている場合にのみ、“０”以外の表示値に表示更新するようにしている。次に、その具体的な例を図２も参照して説明する。
【００１０】
まず、ＣＰＵ５は１２８ｍｓ周期で測定値を生成している。その測定値としては、「…“−２”“−１”“−０”“０”“１”“２”…」が生成されている。また、ＣＰＵ５がデコーダ６を介して表示器７に表示する表示値の更新周期は５１２ｍｓ周期で生成されている。そして、表示値“０”を安定させるため、測定値として“−０”と“０”を、表示値としてはともに“０”と表示して、マイナス記号のついた“−０”を表示しないようにしている。
【００１１】
そして、表示値が“０”である表示状態から“１”以上の値への表示更新の判断としては、図２の枠内に示した測定値のように、「表示更新時点での測定値と、１２８ｍｓ前の測定値と、２５６ｍｓ前の測定値」の３回分の測定値のすべてが“１”以上であった場合のみ、“０”以外の正の値の表示に更新することを許可している。また、表示値が“０”である表示状態から“−１”以下の表示値に更新する場合の判断も同様に、表示更新時点での測定値を含め過去３回分の測定値のすべてが“−１”以下であった場合のみ、“０”以外の負の値の表示に更新することを許可している。念のため述べると、３回の測定値に異符号の値がある場合は、“０”表示状態から他の値への表示更新が許可されない。なお、許可されたら、表示更新時点での測定値がそのまま表示値となる。
【００１２】
図３では、ＣＰＵ５が１２８ｍｓ周期で測定値を生成しているのは図２の場合と同様であるが、表示値の更新は２５６ｍｓ周期で生成されている例である。なお、以上の実施形態では、測定値として“０”と“−０”も生成され、表示値としては“−０”を表示しない場合を述べたが、測定値として“０”は生成されるが“−０”は生成されない場合は、表示値が一旦“０”になった後は、表示更新時点での測定値を含め過去複数回分の測定値のすべてが“０”以外であり、かつ、それらが正値側または負値側に揃っている場合にのみ、“０”以外の表示値に表示更新するようにすればよいのは明らかである。
【００１３】
以上述べた実施形態によれば、表示値が一旦“０”になった後の表示が目まぐるしく変化してしまう弊害を緩和でき、殊に、圧力検出器を大気圧補正してその表示器の表示値を“０”と表示補正する場合に、大気圧の微妙な変化等で“０”以外の値を表示したり、再び“０”に戻ったりと目まぐるしく表示変化してしまう弊害を緩和するのに好適である。
【図面の簡単な説明】
【図１】回路ブロック図
【図２】表示更新の例を示す説明図
【図３】表示更新の他の例を示す説明図
【図４】目まぐるしく表示更新される例を示す説明図
【符号の説明】
７  表示器
【図１】
0003577446.tif 000002
【図２】
0003577446.tif 000003
【図３】
0003577446.tif 000004
【図４】
0003577446.tif 000005